【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出部と、
前記第１時刻における前記二次電池の電流値および電圧値と前記第２時刻における前記二次電池の電流値および電圧値とに基づいて、当該二次電池の内部抵抗値を算出する抵抗値算出部と、
前記二次電池の内部抵抗値に基づいて、当該二次電池の劣化状況を判定する電池劣化状況判定部と、
を具備し、
前記時刻検出部は、前記測定値の変化率の大きさが所定の変化率以下となっている時刻を前記第２時刻の候補として検出し、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出することを特徴とする電池劣化判定装置。
【請求項２】
前記時刻検出部は、前記第１時刻と前記第２時刻との組み合わせを複数検出し、
前記抵抗値算出部は、前記時刻検出部が検出した前記第１時刻と前記第２時刻との組み合わせ毎に前記二次電池の内部抵抗値を算出して、得られた内部抵抗値の平均値を求め、前記電池劣化状況判定部は、前記抵抗値算出部が求めた前記内部抵抗値の平均値に基づいて、前記二次電池の劣化状況を判定する、
ことを特徴とする請求項１に記載の電池劣化判定装置。
【請求項３】
前記時刻検出部は、前記二次電池の電流値の変化率の大きさが所定の変化率以下となっており、かつ前記二次電池の電圧値の変化率の大きさが所定の変化率以下となっている時刻を前記第１時刻として検出し、前記二次電池の電流値の変化率の大きさが所定の変化率以下となっており、かつ前記二次電池の電圧値の変化率の大きさが所定の変化率以下となっており、さらに、前記第１時刻との間における前記二次電池の電流値の変化量の大きさが所定の変化量以上となっている時刻を前記第２時刻として検出する、ことを特徴とする請求項１または請求項２に記載の電池劣化判定装置。
【請求項４】
二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出部と、
前記第１時刻における前記二次電池の電流値および電圧値と前記第２時刻における前記二次電池の電流値および電圧値とに基づいて、当該二次電池の内部抵抗値を算出する抵抗値算出部と、
を具備し、
前記時刻検出部は、前記測定値の変化率の大きさが所定の変化率以下となっている時刻を前記第２時刻の候補として検出し、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出することを特徴とする抵抗値算出装置。
【請求項５】
電池劣化判定装置の電池劣化判定方法であって、
二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出ステップと、
前記第１時刻における前記二次電池の電流値および電圧値と前記第２時刻における前記二次電池の電流値および電圧値とに基づいて、当該二次電池の内部抵抗値を算出する抵抗値算出ステップと、
前記二次電池の内部抵抗値に基づいて、当該二次電池の劣化状況を判定する電池劣化状況判定ステップと、
を具備し、
前記時刻検出ステップでは、前記測定値の変化率の大きさが所定の変化率以下となっている時刻を前記第２時刻の候補として検出し、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出することを特徴とする電池劣化判定方法。
【請求項６】
電池劣化判定装置としてのコンピュータに、
二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出ステップと、
前記第１時刻における前記二次電池の電流値および電圧値と前記第２時刻における前記二次電池の電流値および電圧値とに基づいて、当該二次電池の内部抵抗値を算出する抵抗値算出ステップと、
前記二次電池の内部抵抗値に基づいて、当該二次電池の劣化状況を判定する電池劣化状況判定ステップと、
を実行させ、
前記時刻検出ステップでは、前記測定値の変化率の大きさが所定の変化率以下となっている時刻を前記第２時刻の候補として検出させ、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出させるためのプログラム。
【手続補正２】
【補正対象書類名】明細書
【補正対象項目名】０００７
【補正方法】変更
【補正の内容】
【０００７】
この発明は上述した課題を解決するためになされたもので、本発明の第１の態様による電池劣化判定装置は、二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出部と、前記第１時刻における前記二次電池の電流値および電圧値と前記第２時刻における前記二次電池の電流値および電圧値とに基づいて、当該二次電池の内部抵抗値を算出する抵抗値算出部と、前記二次電池の内部抵抗値に基づいて、当該二次電池の劣化状況を判定する電池劣化状況判定部と、を具備し、前記時刻検出部は、前記測定値の変化率の大きさが所定の変化率以下となっている時刻を前記第２時刻の候補として検出し、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出することを特徴とする。
【手続補正３】
【補正対象書類名】明細書
【補正対象項目名】００１０
【補正方法】変更
【補正の内容】
【００１０】
また、本発明のさらにもう一つの態様による抵抗値算出装置は、二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出部と、前記第１時刻における前記二次電池の電流値および電圧値と前記第２時刻における前記二次電池の電流値および電圧値とに基づいて、当該二次電池の内部抵抗値を算出する抵抗値算出部と、を具備し、前記時刻検出部は、前記測定値の変化率の大きさが所定の変化率以下となっている時刻を前記第２時刻の候補として検出し、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出することを特徴とする。
【手続補正４】
【補正対象書類名】明細書
【補正対象項目名】００１１
【補正方法】変更
【補正の内容】
【００１１】
また、本発明のさらにもう一つの態様による電池劣化判定方法は、電池劣化判定装置の電池劣化判定方法であって、二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出ステップと、前記第１時刻における前記二次電池の電流値および電圧値と前記第２時刻における前記二次電池の電流値および電圧値とに基づいて、当該二次電池の内部抵抗値を算出する抵抗値算出ステップと、前記二次電池の内部抵抗値に基づいて、当該二次電池の劣化状況を判定する電池劣化状況判定ステップと、を具備し、前記時刻検出ステップでは、前記測定値の変化率の大きさが所定の変化率以下となっている時刻を前記第２時刻の候補として検出し、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出することを特徴とする。
【手続補正５】
【補正対象書類名】明細書
【補正対象項目名】００１２
【補正方法】変更
【補正の内容】
【００１２】
また、本発明のさらにもう一つの態様によるプログラムは、電池劣化判定装置としてのコンピュータに、二次電池の電流値または電圧値の少なくとも一方である測定値の変化率の大きさが所定の変化率以下となっている第１時刻、および、前記測定値の変化率の大きさが所定の変化率以下となっており、かつ前記第１時刻との間における前記測定値の変化量の大きさが所定の変化量以上となっている第２時刻を検出する時刻検出ステップと、前記第１時刻における前記二次電池の電流値および電圧値と前記第２時刻における前記二次電池の電流値および電圧値とに基づいて、当該二次電池の内部抵抗値を算出する抵抗値算出ステップと、前記二次電池の内部抵抗値に基づいて、当該二次電池の劣化状況を判定する電池劣化状況判定ステップと、を実行させ、前記時刻検出ステップでは、前記測定値の変化率の大きさが所定の変化率以下となっている時刻を前記第２時刻の候補として検出させ、当該第２時刻の候補よりも過去の時刻であって、前記測定値の変化率の大きさが所定の変化率以下となっており、かつ、前記第２時刻の候補との間における前記測定値の変化量の大きさが所定の変化量以上となっている時刻を前記第１時刻として検出することで、前記第１時刻および前記第２時刻を検出させるためのプログラムである。